(57)【要約】【課題】ターミナルが湿潤な反応ガス雰囲気に接触することを防止し、ターミナルが腐食されることを防止するとともに、腐食した成分が漏出することを防止して、燃料電池の性能低下及び燃料極の劣化を確実に防止することができるようにする。【解決手段】電解質層を燃料極と酸素極とで挟持した燃料電池が、前記燃料極に沿って燃料流路が形成され、酸素極に沿って酸化剤流路が形成されたセパレータを介して複数電気的に接続された燃料電池発電部と、該燃料電池発電部の両側に配設された側端保持部とを有する燃料電池装置であって、前記側端保持部は、燃料電池発電部の最外側に位置するセパレータに当接するターミナル、及び、該ターミナルに当接するインシュレータを備え、該インシュレータは、前記燃料流路に接続された側端貫通孔を備えるとともに、湿潤な反応ガスに接触しないように前記ターミナルを覆う。【選択図】図１
2008251309.tif 000002
【特許請求の範囲】
【請求項１】
電解質層を燃料極と酸素極とで挟持した燃料電池が、前記燃料極に沿って燃料流路が形成され、酸素極に沿って酸化剤流路が形成されたセパレータを介して複数電気的に接続された燃料電池発電部と、
該燃料電池発電部の両側に配設された側端保持部とを有する燃料電池装置であって、
前記側端保持部は、燃料電池発電部の最外側に位置するセパレータに当接するターミナル、及び、該ターミナルに当接するインシュレータを備え、
該インシュレータは、前記燃料流路に接続された側端貫通孔を備えるとともに、湿潤な反応ガスに接触しないように前記ターミナルを覆うことを特徴とする燃料電池装置。
【請求項２】
前記インシュレータは、前記側端貫通孔と干渉しない位置に形成され、セパレータに対向する面が開口するターミナル収容凹部を備え、
前記ターミナルは、前記ターミナル収容凹部内に収容され、セパレータに対向する面以外の面が前記インシュレータによって覆われる請求項１に記載の燃料電池装置。
【請求項３】
前記インシュレータのセパレータに対向する面には、前記ターミナル収容凹部の周囲を囲繞するシール部材が配設される請求項２に記載の燃料電池装置。
【請求項４】
前記インシュレータは、ポリフェニレンエーテル、ポリフェニレンサルファイド、ポリスルホン、ポリエーテルケトン、ポリエーテルエーテルケトン、熱可塑性ポリイミド及びポリエーテルニトリルのうちから選択された材料から成る請求項１に記載の燃料電池装置。
【発明の詳細な説明】
【技術分野】
【０００１】
本発明は、燃料電池装置に関するものである。
【背景技術】
【０００２】
従来、燃料電池は発電効率が高く、有害物質を排出しないので、産業用、家庭用の発電装置として、又は、人工衛星や宇宙船などの動力源として実用化されてきたが、近年は、乗用車、バス、トラック、乗用カート、荷物用カート等の車両用の動力源として開発が進んでいる。そして、前記燃料電池は、アルカリ水溶液形（ＡＦＣ）、リン酸形（ＰＡＦＣ）、溶融炭酸塩形（ＭＣＦＣ）、固体酸化物形（ＳＯＦＣ）、直接形メタノール（ＤＭＦＣ）等のものであってもよいが、固体高分子形燃料電池（ＰＥＭＦＣ）が一般的である。
【０００３】
この場合、固体高分子電解質膜を２枚のガス拡散電極で挟み、一体化させて接合する。そして、該ガス拡散電極の一方を燃料極（アノード極）とし、その表面に燃料としての水素ガスを供給すると、水素が水素イオン（プロトン）と電子とに分解され、水素イオンが固体高分子電解質膜を透過する。また、前記ガス拡散電極の他方を酸素極（カソード極）とし、その表面に酸化剤としての空気を供給すると、空気中の酸素と、前記水素イオン及び電子とが結合して、水が生成される。このような電気化学反応によって起電力が生じるようになっている。
【０００４】
そして、固体高分子形燃料電池においては、電気化学反応によって生成された水分が、燃料極側から酸素極側に向けてプロトン同伴水として移動するとともに、酸素極側から燃料極側に向けて逆拡散水として移動する。これにより、固体高分子電解質膜の両側は、湿潤な状態に維持される。
【０００５】
しかし、反応ガスとしての水素ガス及び空気が水分を含んだ湿潤な状態となり、腐食性が高くなるので、このような湿潤な反応ガスが接触することによって、燃料電池スタックの構成部品が腐食されてしまう。特に燃料電池スタックの両側に配設されて電極端子として機能するターミナルは、導電性が高いことが要求されるので、一般に、銅等の良導電材料から形成される。そして、ターミナルが湿潤な反応ガスと接触して腐食されると、ターミナルの成分が反応ガス中に溶出し、燃料電池の性能が低下してしまう。
【０００６】
図２は従来の燃料電池スタックの構成を示す図である。なお、図２において、（ａ）は斜視図、（ｂ）は（ａ）のＡ面に沿った断面図、（ｃ）は（ａ）のＢ面に沿った断面図である。
【０００７】
図において、９０は燃料電池スタックであり、固体高分子電解質膜の両側に触媒、電極及びセパレータを結合したセル（Ｆｕｅｌ  Ｃｅｌｌ）を複数積層した燃料電池発電部９１と、該燃料電池発電部９１を両側から挟み込むように配設された側端保持部９２とを有する。そして、該側端保持部９２は、銅等の良導電材料から成り、燃料電池発電部９１の最外側に位置するセパレータに当接し、燃料電池スタック９０の電極端子として機能するターミナル９２ａ、該ターミナル９２ａに当接する電気的絶縁性材料から成るインシュレータ９２ｂ、及び、該インシュレータ９２ｂに当接し、燃料電池スタック９０を両側から挟み込んで締め付けるためのエンドプレート９２ｃを有する。
【０００８】
また、前記側端保持部９２には、ターミナル９２ａ、インシュレータ９２ｂ及びエンドプレート９２ｃを厚さ方向に貫通する図示されない側端貫通孔（こう）が形成されている。該側端貫通孔は、水素ガスが流通する燃料流路の一部であり、燃料電池発電部９１を厚さ方向に貫通するように形成された図示されない燃料用貫通孔に接続されるとともに、図示されない燃料ガス配管が接続される。
【０００９】
しかし、燃料流路を流通する水素ガスは水分を含んだ湿潤な状態となっているので、特に、ターミナル９２ａは、側端貫通孔を流通する湿潤な水素ガスと接触して腐食されてしまう。もっとも、ターミナル９２ａの表面に金のような耐腐食性を備える金属のめっきを施すことによって、ターミナル９２ａの腐食を防止することも考えられるが、この場合、金のような金属が高価であるので、コストが高くなってしまう。
【００１０】
そこで、合成樹脂等の電気的絶縁性材料から成るマニホールドを前記側端貫通孔に挿入し、湿潤な水素ガスがターミナル９２ａと接触しないようにして、該ターミナル９２ａの腐食を防止する技術が提案されている（例えば、特許文献１及び２参照。）。
【特許文献１】特開２００３−３３１９０５号公報
【特許文献２】特開２００６−１２６６９号公報
【発明の開示】
【発明が解決しようとする課題】
【００１１】
しかしながら、前記従来の燃料電池装置においては、燃料電池スタック９０の外周側面の一部としてターミナル９２ａの外周側面が露出しているので、該外周側面が湿潤な空気と接触して腐食されてしまう。特に、酸素極側を湿潤な状態に維持するために、水分を含んだ空気を酸化剤として供給するタイプの燃料電池装置の場合には、常時、湿潤な空気によって燃料電池スタック９０の外周側面全体が覆われるので、露出しているターミナル９２ａの外周側面が腐食されやすくなる。
【００１２】
本発明は、前記従来の燃料電池装置の問題点を解決して、インシュレータによってターミナルを覆うようにして、ターミナルが湿潤な反応ガス雰囲気に接触することを防止し、ターミナルが腐食されることを防止するとともに、腐食した成分が漏出することを防止して、燃料電池の性能低下及び燃料極の劣化を確実に防止することができる燃料電池装置を提供することを目的とする。
【課題を解決するための手段】
【００１３】
そのために、本発明の燃料電池装置においては、電解質層を燃料極と酸素極とで挟持した燃料電池が、前記燃料極に沿って燃料流路が形成され、酸素極に沿って酸化剤流路が形成されたセパレータを介して複数電気的に接続された燃料電池発電部と、該燃料電池発電部の両側に配設された側端保持部とを有する燃料電池装置であって、前記側端保持部は、燃料電池発電部の最外側に位置するセパレータに当接するターミナル、及び、該ターミナルに当接するインシュレータを備え、該インシュレータは、前記燃料流路に接続された側端貫通孔を備えるとともに、湿潤な反応ガスに接触しないように前記ターミナルを覆う。
【００１４】
本発明の他の燃料電池装置においては、さらに、前記インシュレータは、前記側端貫通孔と干渉しない位置に形成され、セパレータに対向する面が開口するターミナル収容凹部を備え、前記ターミナルは、前記ターミナル収容凹部内に収容され、セパレータに対向する面以外の面が前記インシュレータによって覆われる。
【００１５】
本発明の更に他の燃料電池装置においては、さらに、前記インシュレータのセパレータに対向する面には、前記ターミナル収容凹部の周囲を囲繞（にょう）するシール部材が配設される。
【００１６】
本発明の更に他の燃料電池装置においては、さらに、前記インシュレータは、ポリフェニレンエーテル、ポリフェニレンサルファイド、ポリスルホン、ポリエーテルケトン、ポリエーテルエーテルケトン、熱可塑性ポリイミド及びポリエーテルニトリルのうちから選択された材料から成る。
【発明の効果】
【００１７】
請求項１の構成によれば、ターミナルが湿潤な反応ガスに接触することを防止して、ターミナルが腐食されることを防止することができ、燃料電池の性能低下及び燃料極の劣化を確実に防止することができる。
【００１８】
請求項２の構成によれば、ターミナルが側端貫通孔内を流れる反応ガスにも、燃料電池装置の周囲を流れる反応ガスにも接触することがないので、ターミナルが腐食されることを防止することができる。
【００１９】
請求項３の構成によれば、ターミナル収容凹部の気密性が維持され、湿潤な反応ガスがターミナル収容凹部に進入することがないので、ターミナルが湿潤な反応ガスと接触して腐食することが防止される。また、仮にターミナルが腐食した場合であっても、ターミナルから溶出した腐食した成分が、ターミナル収容凹部から漏出してしまうことがないので、腐食した成分によって、燃料電池発電部の部材が汚染されてしまうことがない。
【００２０】
請求項４の構成によれば、インシュレータは、湿潤な反応ガスに接触しても、腐食してしまうことがない。また、金属イオン等のような燃料電池発電部の部材を汚染する物質がインシュレータから溶出してしまうこともないので、燃料電池発電部の部材が汚染されてしまうことがない。
【発明を実施するための最良の形態】
【００２１】
以下、本発明の実施の形態について図面を参照しながら詳細に説明する。
【００２２】
図１は本発明の実施の形態における燃料電池スタックの構成を示す図である。なお、図１において、（ａ）は斜視図、（ｂ）は（ａ）のＣ面に沿った断面図、（ｃ）は（ａ）のＤ面に沿った断面図である。
【００２３】
図において、２０は複数の燃料電池セル（ＦＣ）から構成される燃料電池集合体としての燃料電池スタックであり、乗用車、バス、トラック、乗用カート、荷物用カート等の車両用の動力源として使用される。ここで、車両は、照明装置、ラジオ、パワーウィンドウ等の車両の停車中にも使用される電気を消費する補機類を多数備えており、また、走行パターンが多様であり、動力源に要求される出力範囲が極めて広いので、動力源として燃料電池スタック２０と、バッテリ、リチウムイオン電池などの二次電池、キャパシタ等から成る蓄電手段とを併用して使用することが望ましい。
【００２４】
そして、燃料電池セルは、アルカリ水溶液形、リン酸形、溶融炭酸塩形、固体酸化物形、直接形メタノール等のものであってもよいが、固体高分子形燃料電池であることが望ましい。
【００２５】
なお、更に望ましくは、水素ガスを燃料とし、酸素又は空気を酸化剤とするＰＥＭＦＣ（Ｐｒｏｔｏｎ  Ｅｘｃｈａｎｇｅ  Ｍｅｍｂｒａｎｅ  Ｆｕｅｌ  Ｃｅｌｌ）形燃料電池、又は、ＰＥＭ（Ｐｒｏｔｏｎ  Ｅｘｃｈａｎｇｅ  Ｍｅｍｂｒａｎｅ）形燃料電池と呼ばれるものである。ここで、該ＰＥＭ形燃料電池は、一般的に、プロトン等のイオンを透過する固体高分子電解質膜の両側に触媒、電極及びセパレータを結合したセルを複数及び直列に結合したスタック（Ｓｔａｃｋ）から成る。
【００２６】
この場合、固体高分子電解質膜を２枚のガス拡散電極で挟み、一体化させて接合する。そして、該ガス拡散電極の一方を燃料極とし、該燃料極表面に接する燃料流路を介し前記燃料極に燃料ガスとしての水素ガスを供給すると、水素が水素イオン（プロトン）と電子とに分解され、水素イオンが固体高分子電解質膜を透過する。また、前記ガス拡散電極の他方を酸素極とし、該酸素極表面に接する酸化剤流路としての空気流路を介し前記酸素極に酸化剤としての空気を供給すると、空気中の酸素、前記水素イオン及び電子が結合して、水が生成される。このような電気化学反応によって起電力が生じるようになっている。
【００２７】
例えば、本実施の形態においては、一例として、ＰＥＭ形燃料電池であり、例えば、１００枚のセルを直列に接続したスタックを使用する。なお、改質装置によってメタノール、ガソリン等を改質して取り出した燃料である水素ガスを燃料電池セルに直接供給することもできるが、車両の高負荷運転時にも安定して十分な量の水素を供給することができるようにするためには、燃料貯蔵手段に貯蔵した水素ガスを供給することが望ましい。
【００２８】
本実施の形態において、燃料電池スタック２０は、複数のセルモジュールを積層した燃料電池発電部２１を有する。該燃料電池発電部２１は、燃料電池としての単位セル（ＭＥＡ：Ｍｅｍｂｒａｎｅ  Ｅｌｅｃｔｒｏｄｅ  Ａｓｓｅｍｂｌｙ）と、該単位セル同士を電気的に接続するとともに、単位セルに導入される水素ガスが流通する燃料流路と空気が流通する空気流路とを分離する後述されるセパレータと、単位セル及びセパレータを１セットとして、板厚方向に複数のセットを重ねて構成されている。各セルモジュールにおいては、単位セル同士が所定の間隙（げき）を隔てて配置されるように、単位セルとセパレータとが、多段に重ねられて積層されている。
【００２９】
単位セルは、電解質層としての固体高分子電解質膜側に設けられた酸素極としての空気極及び他側に設けられた燃料極から構成されている。前記空気極及び燃料極は、反応ガスを拡散しながら透過する導電性材料から成る電極拡散層と、該電極拡散層上に形成され、固体高分子電解質膜と接触させて支持される触媒層とから成る。また、単位セルの空気極側の電極拡散層に接触して集電する集電体としての空気極側コレクタと、単位セルの燃料極側の電極拡散層に接触して集電する集電体としての燃料極側コレクタとを有する。
【００３０】
前記単位セルにおいては、水が移動する。この場合、燃料極表面に接する燃料流路内に燃料ガス、すなわち、アノードガスとしての水素ガスを供給すると、水素が水素イオンと電子とに分解され、水素イオンがプロトン同伴水を伴って、固体高分子電解質膜を透過する。また、前記空気極をカソード極とし、空気流路内に酸化剤、すなわち、カソードガスとしての空気を供給すると、空気中の酸素と、前記水素イオン及び電子とが結合して、水が生成される。なお、水分が逆拡散水として固体高分子電解質膜を透過し、燃料極表面に接する燃料流路内に移動する。ここで、逆拡散水とは、空気流路において生成される水が固体高分子電解質膜内に拡散し、該固体高分子電解質膜内を前記水素イオンと逆方向に透過して燃料極にまで浸透したものである。
【００３１】
図に示される燃料電池スタック２０においては、複数のセルモジュールが図における上下方向に重ねられて積層されて燃料電池発電部２１が構成され、該燃料電池発電部２１は上下両端から側端保持部４０によって挟まれている。
【００３２】
この場合、燃料電池スタック２０は、全体として扁（へん）平な直方体状の形状を有し、内部における空気の流れは、図における図面に垂直な方向としての重力方向であり、手前から奥に向けて直線状になっている。また、水素ガスの流れは、重力方向とほぼ直交する水平面（図面に平行な面）内において、例えば、セルモジュール毎に折り返すサーペンタイン状に、すなわち、蛇行状になっている。そして、一方の側端保持部４０に水素ガスを供給する燃料供給管路が接続され、他方の側端保持部４０に水素ガスを排出する燃料排出管路が接続される。
【００３３】
なお、各セルモジュールは、その両端においてセルモジュールを厚さ方向に貫通するように形成された燃料ガス流路としての燃料用貫通孔を備える。そして、前記燃料供給管路は、水素ガスの流れに関して最上流側に位置するセルモジュールの燃料用貫通孔に接続され、前記燃料排出管路は、水素ガスの流れに関して最下流側に位置するセルモジュールの燃料用貫通孔に接続されている。なお、前記燃料供給管路及び燃料排出管路は、側端保持部４０内に形成された燃料ガス流路としての後述される側端貫通孔３７を介して、最下流側に位置するセルモジュールの燃料用貫通孔に接続される。
【００３４】
本実施の形態において、側端保持部４０は、燃料電池スタック２０の電極端子として機能するターミナル４１、該ターミナル４１に当接し、電気的絶縁性材料から成るインシュレータ４２、及び、該インシュレータ４２に当接し、燃料電池スタック２０を両側から挟み込んで締め付けるためのエンドプレート４３を有する。前記ターミナル４１は、銅等の良導電材料から成り、燃料電池発電部２１の最外側、すなわち、最上端及び最下端に位置するセパレータに当接し、該セパレータと電気的に導通する。なお、前記ターミナル４１のセパレータに当接する面（図１（ｂ）及び（ｃ）における下面）には、金のような導電性及び耐腐食性を備える金属のめっきを施すことが望ましい。
【００３５】
ここで、前記インシュレータ４２のサイズは、ターミナル４１のサイズよりも大きく、セパレータに当接する面を除くターミナル４１の全周囲を覆うように形成されている。また、ターミナル４１は、側端貫通孔３７に干渉しない位置に配設されている。図１（ｃ）に示される例において、側端貫通孔３７は、ターミナル４１の左外側の位置において、インシュレータ４２及びエンドプレート４３を厚さ方向（図１（ｃ）における上下方向）に貫通している。
【００３６】
前記インシュレータ４２の材料は、成形性及び加工性の観点から、熱可塑性樹脂であることが望ましい。さらに、耐熱性及び耐薬品性を考慮すると、ポリフェニレンエーテル（ＰＰＥ）、ポリフェニレンサルファイド（ＰＰＳ）、ポリスルホン（ＰＳＦ）、ポリエーテルケトン（ＰＥＫ）、ポリエーテルエーテルケトン（ＰＥＥＫ）、熱可塑性ポリイミド（ＰＩ）又はポリエーテルニトリル（ＰＥＮ）のいずれかであることが望ましい。なお、ナイロン６及びナイロン６６は吸水時に強度が低下し、塩酸及び硫酸に弱いので望ましくない。また、ＰＢＴ及びＰＥＴは加水分解するので望ましくない。さらに、ＰＯＭは燃焼性を備えるので望ましくない。
【００３７】
また、強度を向上させるために強化繊維等の強化用充填（てん）材をインシュレータ４２の材料に充填することもできるが、この場合、強化用充填材は、金属イオンを溶出する成分を含まないものであることが望ましい。
【００３８】
なお、酸化剤としての空気は、図示されない空気供給ファン、空気ボンベ、空気タンク等の酸化剤供給源から、吸気マニホールド等を通って、燃料電池スタック２０の空気流路に供給される。この場合、空気は、矢印Ｅで示されるように、ほぼ重力方向に流れるようになっているが、燃料電池発電部２１のみならず、側端保持部４０の周囲も流通するようになっている。なお、酸化剤として、空気に代えて酸素を使用することもできる。そして、空気流路から排出される空気は、図示されない排気マニホールド、凝縮器等を通って大気中へ排出される。
【００３９】
また、前記吸気マニホールドには、水をスプレーして、燃料電池スタック２０の酸素極（カソード極）を湿潤な状態に維持するための水供給ノズルが配設される。なお、スプレーされた水によって前記酸素極及び燃料極を冷却することもできる。さらに、前記凝縮器は、前記燃料電池スタック２０から排出される空気に含まれる水分を凝縮して除去するためのもので、前記凝縮器によって凝縮された水は図示されない水タンクに回収され、水供給ノズルに供給される。
【００４０】
次に、前記側端保持部４０におけるターミナル４１及びインシュレータ４２の構成について詳細に説明する。
【００４１】
図３は本発明の実施の形態におけるターミナルを保持するインシュレータの構成を示す図、図４は本発明の実施の形態におけるインシュレータの構成を示す図、図５は本発明の実施の形態におけるターミナルの構成を示す図、図６は本発明の実施の形態におけるインシュレータに取り付けられる第１のシール部材の構成を示す図、図７は本発明の実施の形態におけるインシュレータに取り付けられる第２のシール部材の構成を示す図、図８は本発明の実施の形態におけるインシュレータに取り付けられる第２のシール部材の斜視図である。なお、図３において（ａ）は平面図、（ｂ）は（ａ）のＦ−Ｆ矢視断面図、（ｃ）は側面図であり、図４において（ａ）は平面図、（ｂ）は（ａ）のＧ−Ｇ矢視断面図、（ｃ）は側面図であり、図５において（ａ）は平面図、（ｂ）は側面図であり、図７において（ａ）は平面図、（ｂ）は側面図である。
【００４２】
図３に示されるように、インシュレータ４２のサイズは、ターミナル４１のサイズよりも大きく、セパレータに当接する面を除くターミナル４１の全周囲を覆うように形成されている。なお、図３（ｂ）及び（ｃ）における上面がセパレータに対向する面である。そして、インシュレータ４２の一端、すなわち、図に示される例において左端には、該インシュレータ４２を厚さ方向に貫通する燃料ガス流路としての側端貫通孔３７が形成されている。また、ターミナル４１は、側端貫通孔３７と干渉しない位置、すなわち、図に示される例において側端貫通孔３７よりも右側の位置に配設されている。
【００４３】
ここで、インシュレータ４２は、図４に示されるように、前記側端貫通孔３７と干渉しない位置にセパレータに対向する面が開口するターミナル収容凹部４２ａを備える。該ターミナル収容凹部４２ａは、インシュレータ４２におけるセパレータに対向する面に形成された長方形の凹部であり、その形状及びサイズは、図５に示されるようなターミナル４１の形状及びサイズに対応し、ターミナル４１を収容する。また、ターミナル収容凹部４２ａの深さは、ターミナル４１の厚さに一致し、インシュレータ４２におけるセパレータに対向する面とターミナル収容凹部４２ａ内に収容されたターミナル４１におけるセパレータに対向する面とが面一となる。そのため、図３に示されるように、ターミナル４１を保持するインシュレータ４２の上面を燃料電池発電部２１の最外側に位置するセパレータに当接させると、ターミナル４１の上面もセパレータに当接し、これにより、ターミナル４１とセパレータとが電気的に導通する。
【００４４】
また、前記インシュレータ４２は、ターミナル収容凹部４２ａの周囲を囲繞して画定する周壁４２ｂを備える。そのため、ターミナル収容凹部４２ａ内に収容されたターミナル４１は、上面以外の面がインシュレータ４２によって覆われた状態となる。
【００４５】
なお、ターミナル４１は、図５に示されるように、その一端、すなわち、図に示される例において、右端から突出する接続端子部４１ａを有する。該接続端子部４１ａは、燃料電池が発生した電流を負荷に供給するための電線を接続するための部分であり、図３に示されるように、ターミナル４１がターミナル収容凹部４２ａ内に収容された状態において、インシュレータ４２の周壁４２ｂから外方へ突出する。図４に示されるように、周壁４２ｂの一部には切欠部４２ｃが形成され、該切欠部４２ｃを通って接続端子部４１ａは外方へ突出する。そして、周壁４２ｂから外方へ突出した接続端子部４１ａは、前記電線の端部に接続されたコネクタに接続される。なお、該コネクタは、接続端子部４１ａの周囲を覆う気密性のカバーを備えるものであることが望ましい。これにより、接続端子部４１ａが湿潤な反応ガス、すなわち、側端保持部４０の周囲を流通する空気に接触することが防止される。なお、必要に応じて、前記接続端子部４１ａに、金のような導電性及び耐腐食性を備える金属のめっきを施すこともできる。
【００４６】
そして、図４に示されるように、インシュレータ４２の上面には、側端貫通孔３７の周囲を囲繞する第１のシール溝３６、及び、ターミナル収容凹部４２ａの周囲を囲繞する第２のシール溝４５が形成されている。前記第１のシール溝３６内には、図６に示されるような形状の第１のシール部材３８が収容される。なお、該第１のシール部材３８は、例えば、Ｏ−リングや接着剤であるが、シール性に加えて、耐熱性及び耐薬品性を備える材料から成るものであることが望ましい。前記側端貫通孔３７の周囲を囲繞するように配設された第１のシール部材３８によって、側端貫通孔３７の気密性が維持され、インシュレータ４２の上面と燃料電池発電部２１の最外側の面との間から水素ガスが側端貫通孔３７外へ漏出することが防止される。そのため、ターミナル４１が湿潤な水素ガスに接触して腐食してしまうことがない。
【００４７】
また、前記第２のシール溝４５内には、図７及び８に示されるような形状の第２のシール部材４４が収容される。該第２のシール部材４４は、第１のシール部材３８と同様に、例えば、Ｏ−リングや接着剤であるが、シール性に加えて、耐熱性及び耐薬品性を備える材料から成るものであることが望ましい。前記ターミナル収容凹部４２ａの周囲を囲繞するように配設された第２のシール部材４４によってターミナル収容凹部４２ａの気密性が維持され、側端保持部４０の周囲を流通する空気がインシュレータ４２の上面と燃料電池発電部２１の最外側の面との間からターミナル収容凹部４２ａに進入することが防止される。そのため、ターミナル４１が湿潤な空気に接触して腐食してしまうことがない。
【００４８】
なお、前記第２のシール部材４４は、第２のシール溝４５における切欠部４２ｃに対応する部位に形成された小リング部４４ａを有する。該小リング部４４ａは、図５に示されるように、接続端子部４１ａの根本部の周囲を囲繞するように形成された第３のシール溝４１ｂ内に収容される。前記小リング部４４ａによって接続端子部４１ａと切欠部４２ｃとの間の気密性が維持され、側端保持部４０の周囲を流通する空気が接続端子部４１ａと切欠部４２ｃとの間からターミナル収容凹部４２ａに進入することが防止される。そのため、ターミナル４１が湿潤な空気に接触して腐食してしまうことがない。
【００４９】
このように、本実施の形態において、ターミナル４１は、ターミナル収容凹部４２ａ内に収容され、セパレータに対向する面以外がインシュレータ４２によって覆われた状態となっている。そのため、ターミナル４１が湿潤な反応ガス雰囲気に接触することが防止されるので、銅等の良導電材料から成るターミナル４１が腐食されることを防止することができる。
【００５０】
そして、ターミナル収容凹部４２ａの周囲を囲繞するように第２のシール部材４４が配設されているので、該第２のシール部材４４によってターミナル収容凹部４２ａの気密性が維持され、湿潤な反応ガス、すなわち、水素ガス及び空気がインシュレータ４２の上面と燃料電池発電部２１の最外側の面との間からターミナル収容凹部４２ａに進入することがない。そのため、ターミナル４１が湿潤な空気と接触して腐食することが防止される。また、仮にターミナル４１が腐食した場合であっても、該ターミナル４１から溶出した腐食した成分が、ターミナル収容凹部４２ａから漏出してしまうことがない。そのため、腐食した成分によって、燃料電池発電部２１の単位セル等の部材が汚染されてしまうことがない。
【００５１】
また、インシュレータ４２は、望ましくは、ポリフェニレンエーテル等の熱可塑性樹脂から成るので、湿潤な反応ガスに接触しても、腐食してしまうことがない。また、金属イオン等のような燃料電池発電部２１の単位セル等の部材を汚染する物質がインシュレータ４２から溶出してしまうこともない。そのため、燃料電池発電部２１の単位セル等の部材が汚染されてしまうことがない。
【００５２】
なお、本発明は前記実施の形態に限定されるものではなく、本発明の趣旨に基づいて種々変形させることが可能であり、それらを本発明の範囲から排除するものではない。
【図面の簡単な説明】
【００５３】
【図１】本発明の実施の形態における燃料電池スタックの構成を示す図である。
【図２】従来の燃料電池スタックの構成を示す図である。
【図３】本発明の実施の形態におけるターミナルを保持するインシュレータの構成を示す図である。
【図４】本発明の実施の形態におけるインシュレータの構成を示す図である。
【図５】本発明の実施の形態におけるターミナルの構成を示す図である。
【図６】本発明の実施の形態におけるインシュレータに取り付けられる第１のシール部材の構成を示す図である。
【図７】本発明の実施の形態におけるインシュレータに取り付けられる第２のシール部材の構成を示す図である。
【図８】本発明の実施の形態におけるインシュレータに取り付けられる第２のシール部材の斜視図である。
【符号の説明】
【００５４】
２１    燃料電池発電部
３７    側端貫通孔
４０    側端保持部
４１    ターミナル
４２    インシュレータ
４２ａ    ターミナル収容凹部
４４    第２のシール部材
【図１】
2008251309.tif 000003
【図２】
2008251309.tif 000004
【図３】
2008251309.tif 000005
【図４】
2008251309.tif 000006
【図５】
2008251309.tif 000007
【図６】
2008251309.tif 000008
【図７】
2008251309.tif 000009
【図８】
2008251309.tif 000010